(57)【要約】      （修正有）【課題】運搬が容易な背負式電源を提供する。【解決手段】背負式電源は、電池パックを収容したケース部２と、ケース部２を背負うためにケース部２に接続された背負部と、ケース部２に接続された取手部３８と、を備えたことを特徴としている。【選択図】図２
2014038728.tif 000002
【特許請求の範囲】
【請求項１】
電池パックを収容したケース部と、
前記ケース部を背負うために前記ケース部に接続された背負部と、
前記ケース部に接続された取手部と、
を備えたことを特徴とする背負式電源。
【請求項２】
前記取手部は、端部が前記背負部と固定されていることを特徴とする請求項１に記載の背負式電源。
【請求項３】
前記背負式電源は、前記ケース部と前記背負部との間の距離を調節するために前記ケース部と前記背負部との間に設けられたトップストラップ部を更に備え、
前記取手部は、前記トップストラップ部に設けられ、前記トップストラップ部により前記背負部に接続されていることを特徴とする請求項２に記載の背負式電源。
【請求項４】
前記トップストラップ部は、前記取手部と接続されるストラップを備え、
前記ケース部は、挿通孔が形成されており、
前記ストラップは、前記取手部と前記背負部との間において、前記ケース部の挿通孔に挿通されることを特徴とする請求項３に記載の背負式電源。
【請求項５】
前記ケース部には、前記取手部がケース部に当接した状態において前記取手部と前記ケース部との間に空間を形成する取手用凹部が形成されていることを特徴とする請求項１から４のいずれか１項に記載の背負式電源。
【請求項６】
電動工具が接続される背負式電源装置であって、
電池パックを収容したケース部と、
前記ケース部を背負うために前記ケース部に接続された背負部と、
前記ケース部と背負部とを接続するベルト部と、
を備えたことを特徴とする背負式電源装置。
【発明の詳細な説明】
【技術分野】
【０００１】
本発明は、二次電池を搭載した背負式電源に関する。
【背景技術】
【０００２】
従来より、電動工具等の携帯用電源として、二次電池を収容し、腰に装着可能なバッテリーホルスターが知られている（例えば、特許文献１参照）。
【先行技術文献】
【特許文献】
【０００３】
【特許文献１】実開平７−３９８３号公報
【発明の概要】
【発明が解決しようとする課題】
【０００４】
本発明は、上記バッテリーホルスターよりも大容量の携帯用電源であり、かつ、運搬が容易な背負式電源を提供しようとするものである。
【課題を解決するための手段】
【０００５】
上記課題を解決するために、本発明は、電池パックを収容したケース部と、前記ケース部を背負うために前記ケース部に接続された背負部と、前記ケース部に接続された取手部と、を備えたことを特徴とする背負式電源を提供している。
【０００６】
このような構成によれば、ユーザは、背負式電源を背負うまでのないような短距離の移動等において、取手部を持って背負式電源を運搬することが可能となる。また、最も重いケース部に取手部が接続されていることで、背負式電源をバランスよく持ち上げることが可能となり、運搬が容易となる。
【０００７】
また、前記取手部は、端部が前記背負部と固定されていることが好ましい。
【０００８】
このような構成によれば、取手部を持って背負式電源を運搬する際に、ケース部と背負部が固定される固定部に負荷をかけることがない。また、ケース部と背負部とが背当面に形成された固定部のみならず、取手部を介して接続されているため、ケース部と背負部をより確実に結合させることが可能である。
【０００９】
また、前記背負式電源は、前記ケース部と前記背負部との間の距離を調節するために前記ケース部と前記背負部との間に設けられたトップストラップ部を更に備え、前記取手部は、前記トップストラップ部に設けられ、前記トップストラップ部により前記背負部に接続されていることが好ましい。
【００１０】
このような構成によれば、取手部がトップストラップ部に設けられているので、取手部を設けるためのコストの増加や構造の複雑化を抑制することが可能となる。また、トップストラップ部によりケース部と背負部との間の距離をユーザが任意に調節すること、あるいは、ケース部と背負部との間に、トップストラップ部を用いてペットボトルやグローブ等の小物、又は電動工具のアクセサリ、アダプタ等を挟むように保持することが可能となるため、装着時のフィット感や利便性が向上する。
【００１１】
また、前記トップストラップ部は、前記取手部と接続されるストラップを備え、前記ケース部は、挿通孔が形成されており、前記ストラップは、前記取手部と前記背負部との間において、前記ケース部の前記挿通孔に挿通される構成とすることが好ましい。
【００１２】
このような構成によれば、取手部とケース部との接続、及び、取手部と背負部との接続を簡易な構造で実現することが可能となる。
【００１３】
前記ケース部には、前記取手部がケース部に当接した状態において前記取手部と前記ケース部との間に空間を形成する取手用凹部が形成されていることが好ましい。
【００１４】
このような構成によれば、取手部がケース部と当接している状態であっても、ユーザは、取手用凹部により形成された空間に指を差し込むことにより、取手部を容易に握ることが可能となる。
【００１５】
また、本発明の別の観点によれば、電動工具が接続される背負式電源装置であって、電池パックを収容したケース部と、前記ケース部を背負うために前記ケース部に接続された背負部と、前記ケース部と背負部とを接続するベルト部と、を備えたことを特徴とする背負式電源装置を提供している。
【００１６】
このような構成によれば、ケース部と背負部とがベルト部を介して接続されていることとなるため、ケース部と背負部をより確実に結合させることが可能である。
【発明の効果】
【００１７】
本発明によれば、大容量の携帯用電源であり、かつ、運搬が容易な背負式電源を提供することが可能となる。
【図面の簡単な説明】
【００１８】
【図１】本発明の実施の形態による背負式電源の正面図
【図２】本発明の実施の形態による背負式電源の側面図
【図３】本発明の実施の形態による背当面の正面図
【図４】本発明の実施の形態による背負式電源の使用法の一例を示す側面図
【発明を実施するための形態】
【００１９】
以下、本発明の実施の形態を、添付図面を参照して説明する。
【００２０】
本実施の形態による背負式電源１は、内部に収容された電池パックを背負った状態で電動工具による作業を行うためのものであり、図１に示すように、背負式電源１は、ケース部２と、背負部３と、を備えている。
【００２１】
ケース部２は、ボックス形状を有しており、内部に、電池パック、制御基板等、を収容している。
【００２２】
電池パックは、直列に接続された複数の二次電池から構成されている。本実施の形態では、電池パックは、大容量を有しており、詳細には、直列に接続された複数の二次電池のユニットが複数組、並列に配置された構成となっている。
【００２３】
図２及び図３に示すように、ケース部２には、ユーザの背中と当接する背当面２１が樹脂又はアルミ等の金属等により略四角形状に形成されており、背当面２１には、左右方向に延びる複数の凹部２２及び凸部２３が交互に形成されている。従って、背負式電源１を背負った際には、ユーザの背中は、後述する背負部３のパッド部３１を介して凸部２３と当接し、ユーザの背中（パッド部３１）と凹部２２との間には空間が存在することとなる。
【００２４】
上記したように、本実施の形態による電池パックは、大容量を有しているため、背負式電源１の使用に伴い、電池パックの温度が、ユーザが不快と感じる温度まで上昇する虞がある。しかしながら、本実施の形態による背負式電源１では、上記構成により、ユーザの背中と背当面２１との間に通気性が確保されることとなるため、電池パックにおいて発生した熱のユーザの背中への伝達や、ユーザの背中での蒸れの発生が大幅に軽減されている。
【００２５】
特に、本実施の形態では、図２及び図３に示すように、複数の凹部２２及び凸部２３は、左右（水平）方向に延びている。
【００２６】
このような構成により、左右方向に吹くことの多い風が、ユーザの背中と凹部２２との間に形成され、左右方向に延びた空間を通過しやすくなるので、電池パックにおいて発生した熱のユーザの背中への伝達や、ユーザの背中での蒸れの発生が一層軽減されている。
【００２７】
更に、本実施の形態では、ユーザの背中と当接する凸部２３の内部は、電池パック、制御基板等が配置されていない空洞となっている。
【００２８】
このような構成により、ユーザの背中と電池パックとの間を断熱的に隔離することができるので、電池パックにおいて発生した熱のユーザの背中への伝達や、ユーザの背中での蒸れの発生が一層軽減されている。
【００２９】
また、図３に示すように、背当面２１の下部には、電動工具と接続される電源ケーブル（図示せず）が延出するケーブル延出孔２４が形成されており、更に、図３及び図４に示すように、背当面２１には、ケーブル延出孔２４から左右方向に延出するように形成されたガイド溝２５が形成されている。
【００３０】
このような構成によれば、電源ケーブルは、左右方向に延出するように形成されたガイド溝２５に沿って背当面２１の左右いずれかの端部へ向けてガイドされることとなるため、ユーザの利き腕や電動工具との関係に応じて、ユーザが所望の方向に電源ケーブルを延出可能であり、作業性が向上する。また、電源ケーブルの先端に接続された電動工具による作業の際に電源ケーブルが垂れ下がって作業効率が低下することも抑制されている。
【００３１】
また、図１に示すように、ケース部２からは、制御基板と接続された操作用ケーブル２６が延出しており、操作用ケーブル２６の先端には操作部２７が接続されている。操作部６５には、電源スイッチ、残量スイッチ、残量表示ＬＥＤ、電源ＬＥＤ、及び、異常ＬＥＤが、設けられている。
【００３２】
更に、図１及び図２に示すように、ケース部２の上部には、一対の挿通孔２８が左右方向に離間して形成されており、一対の挿通孔２８の間には、取手用凹部２９が形成されている。一対の挿通孔２８及び取手用凹部２９については、後述する。
【００３３】
図１及び図２に示すように、背負部３は、パッド部３１と、一対の肩ベルト３２と、一対の腰ベルト３３と、を備えている。
【００３４】
パッド部３１は、ユーザの背中と背当面２１の間に配置されるものであり、背当面２１と略同一サイズの非剛性部材により形成されている。
【００３５】
一対の肩ベルト３２は、パッド部３１の両端部において、上部と下部に渡ってそれぞれ掛け渡されており、ユーザは、肩ベルト３２によって形成された空間に肩を通すことにより、背負式電源１を背負うことが可能となる。
【００３６】
また、パッド部３１の両端部の下部からは、一対の腰ベルト３３が略水平方向にそれぞれ延出している。一対の腰ベルト３３の先端部は、互いに係合可能な構成となっており、先端部を係合させることにより、背負式電源１（背当面２１）をユーザの体にフィットさせることが可能となっている。
【００３７】
なお、水平方向において左右の肩ベルト３２を係合可能とするための補助ベルトを腰ベルト３３の上部に設けてもよく、このような構成により、使用時にユーザが体を動かした場合であっても、背負式電源１（背当面２１）とユーザの体とのすれを低減させることが可能となる。
【００３８】
肩ベルト３２及び腰ベルト３３が接続されたパッド部３１は、背当面２１に形成された複数の固定部２１ａ（図３）に対して例えば、ネジ等の固定部材により固定されている。
【００３９】
本実施の形態による背負式電源１では、電池パックは相当な重量となるため、ケース部２と背負部３との係合には、十分な注意が必要である。
【００４０】
本実施の形態による背負式電源１では、パッド部３１が背当面２１に形成された複数の固定部２１ａにネジ等の固定部材で固定されているので、ケース部２と背負部３との接続が外れることが防止されている。
【００４１】
また、複数の固定部２１ａは、パッド部３１（背当面２１）の凸部２３近傍に複数形成されている。
【００４２】
このような構成によれば、重量物であるケース部２が、パッド部３１の凸部全体で固定されるため、荷重を分散して支えることが可能である。
【００４３】
また、本実施の形態では、図１及び図２に示すように、背負部３は、肩ベルト３２からパッド部３１を介してケース部２へ延出したトップストラップ部（ベルト部）３４を備えている。
【００４４】
トップストラップ部３４は、一対の係合部３５と、一対のバックル３６と、ストラップ３７と、取手部３８と、を備えている。
【００４５】
一対の係合部３５は、一対の肩ベルト３２からそれぞれ延出してパッド部３１の上部における両端部をそれぞれ接続している。
【００４６】
一対のバックル３６は、一対の係合部３５の端部とそれぞれ接続されている。
【００４７】
ストラップ３７は、ベルト状の部材から形成されており、ケース部２に形成された一対の挿通孔２８を通過した上で、その両端部が、一対のバックル３６とそれぞれ接続されている。
【００４８】
また、一対のバックル３６は、ストラップ３７との接続位置を調整可能に構成されており、ユーザは、当該接続位置を調整することにより、一対のバックル３６から一対の挿通孔２８側へ延出するストラップ３７の長さ、すなわち、ユーザの背中（パッド部３１）とケース部２との間の隙間、もしくは、取手部３８とケース部２との距離のいずれかを調整することが可能となる。
【００４９】
これにより、ユーザの背中（パット部３１）とケース部２との間の隙間を調整する長さで使用した際には、ケース部２の荷重が肩ベルト３２に効率的に分散されることとなるので、ユーザの疲労を大幅に減少させることが可能となる。また、取手部３８とケース部２との距離を調整する長さで使用した際には、ユーザが作業用手袋等を用いた場合であっても、取手部３８の長さをユーザが持ちやすい長さとすることができる。
【００５０】
取手部３８は、ストラップ３７のうち、一対の挿通孔２８に対して背負部３の反対側の部分に取り付けられている。取手部３８は、左右方向において、ケース部２に形成された取手用凹部２９よりも長い幅を有している。
【００５１】
このような構成により、ユーザは、背負式電源１を背負うまでのないような短距離の移動等において、取手部３８を持って背負式電源１を運搬することが可能となる。また、最も重いケース部２に取手部３８が接続されていることで、バランスよく背負式電源１を持ち上げることが可能となり、運搬が容易となる。特に、図１に示す重心線Ａ上に取手部３８を配置することで、よりバランスよく背負式電源１を持ち上げることが可能となる。
【００５２】
また、上記したように、本実施の形態では、ケース部２は、トップストラップ部３４を介して背負部３（パッド部３１）に接続されている。
【００５３】
従って、取手部３８を持って背負式電源１を運搬する際に、ケース部２と背負部３が固定される固定部に負荷をかけることがない。また、ケース部２と背負部３とが背当面２１に形成された固定部２１ａのみならず、取手部３８を介して接続されているため、ケース部２と背負部３をより確実に結合させることが可能である。
【００５４】
また、本実施の形態では、取手部３８は、トップストラップ部３４（ストラップ３７）に設けられている。
【００５５】
このような構成により、取手部３８がトップストラップ部３４に設けられているので、取手部３８を設けるためのコストの増加や構造の複雑化を抑制することが可能となる。また、トップストラップ部によりケース部２と背負部３との間の距離をユーザが任意に調節すること、あるいは、ケース部２と背負部３との間に、トップストラップ部３４を用いてペットボトルやグローブ等の小物、又は電動工具のアクセサリ、アダプタ等を挟むように保持すること（図４の収納部３９参照）が可能となるため、装着時のフィット感や利便性が向上する。
【００５６】
また、本実施の形態では、取手部３８は、一対の挿通孔２８に対して、ストラップ３７のうち背負部３と接続された部分と反対側に配置されている。
【００５７】
このような構成により、取手部３８とケース部２との接続、及び、取手部３８と背負部３との接続を簡易な構造で実現することが可能となる。
【００５８】
また、ユーザは、背中とケース部２との隙間を調整する目的でストラップ３７の長さ（ユーザの背中（パッド部３１）とケース部２との間の隙間）を調整する際には、前記ストラップ３７の長さを短めに調整するものと考えられ、この場合、単に、挿通孔にストラップを貫通する構成のみでは、取手部３８は、ケース部２と近接、又は、接触し、ユーザが取手部３８を握ることが困難となることが予想される。
【００５９】
しかしながら、本実施の形態では、ケース部２の取手部３８と当接すると予想される位置に、左右方向において取手部３８よりも短い幅を有する取手用凹部２９が形成されており、取手用凹部２９により、取手部３８がケース部２に当接した状態であっても、取手部３８とケース部２との間に部分的に空間が形成されるような構成となっている。
【００６０】
このような構成により、取手部３８がケース部２と当接している状態であっても、ユーザは、取手用凹部２９により形成された空間に指を差し込むことにより、取手部３８を容易に握ることが可能となる。
【００６１】
本発明による電動工具は、上述した実施の形態に限定されず、特許請求の範囲に記載された範囲で種々の改良や変形が可能である。
【００６２】
例えば、使用者が意図しない時にケース部２が外れることを抑制するためには、トップストラップ部３４は、必ずしも取手部３８を備えている必要はない。また、ケース部２と背負部３とを接続するにあたり、トップストラップ部３４以外のベルト状の部材を用いることも当然可能である。
【符号の説明】
【００６３】
１     背負式電源
２     ケース部
３     背負部
２８   挿通孔
２９   取手用凹部
３４   トップストラップ部
３７   ストラップ
３８   取手部
【図１】
2014038728.tif 000003
【図２】
2014038728.tif 000004
【図３】
2014038728.tif 000005
【図４】
2014038728.tif 000006